(57)【要約】【課題】多様な条件が設定された定期預金の中から、利用者の状況に合った条件を持つ定期預金を抽出することができるコンピュータシステムを提供する。【解決手段】定期預金抽出システム１は、複数の定期預金を識別するデータと、定期預金を利用するための諸条件のうち利用者の状況によっては満たすことが不可能となり得る絶対的条件若しくは要約絶対的条件を示すデータとが記録されたデータベース５にアクセスし、定期預金のデータを抽出する検索部３と、検索条件の元となるデータの入力を受け付ける検索条件設定部２と、出力部４とを備える。検索条件設定部２は、絶対的条件若しくは要約絶対的条件の少なくとも１つを選択させるか、又は、利用者の人的要素に関する情報を受け付けて、利用者が満たす絶対的条件若しくは要約絶対的条件を決定する。検索部３は、選択又は決定された絶対的条件若しくは要約絶対的条件を検索条件に含める。【選択図】図１
2015232744.tif 000002
【特許請求の範囲】
【請求項１】
複数の定期預金を識別するデータと、各定期預金に付された、定期預金を利用するための諸条件のうち人的条件であって利用者の状況によっては満たすことが不可能となり得る絶対的条件若しくは複数の絶対的条件を要約する概念である要約絶対的条件を示すデータとが記録されたデータベースにアクセスし、指定された検索条件に合う定期預金のデータを抽出する検索部と、
前記検索部が前記データベースから前記定期預金のデータを抽出する際の前記検索条件の元となるデータの入力を、利用者から受け付ける検索条件設定部と、
前記検索部によって抽出された前記定期預金のデータを出力する出力部とを備え、
前記検索条件設定部は、前記利用者に、前記データベースに記録された前記絶対的条件
若しくは前記要約絶対的条件の少なくとも１つを選択させるか、又は、前記利用者の人的要素に関する情報を受け付けて、当該人的要素に基づいて、前記利用者が満たす絶対的条件若しくは要約絶対的条件を決定し、
前記検索部は、前記検索条件設定部で選択又は決定された絶対的条件若しくは要約絶対的条件を検索条件に含める、定期預金抽出システム。
【請求項２】
請求項１に記載の定期預金抽出システムであって、
前記検索条件設定部は、前記利用者に、前記データベースに記録された前記絶対的条件の少なくとも１つを選択可能とし、かつ、前記利用者から前記人的要素に関する情報の受け付けも可能とする、定期預金抽出システム。
【請求項３】
請求項１又は２に記載の定期預金抽出システムであって、
前記データベースは、前記複数の定期預金のうち少なくとも１つの定期預金に付されたリスク条件を示すデータをさらに記録し、
前記検索条件設定部は、前記利用者が希望するリスク条件の入力をさらに受け付け、
前記検索部は、前記検索条件設定部が受け付けたリスク条件を検索条件に含める、定期預金抽出システム。
【請求項４】
請求項１〜３のいずれか１項に記載の定期預金抽出システムであって、
前記データベースは、前記複数の定期預金の金利、特典、利用可能な地域、及び預入期間のうち少なくとも１つを示すデータをさらに記録し、
前記検索部は、抽出する定期預金のデータに、定期預金の金利、特典、利用可能な地域、及び預入期間の少なくとも１つを示すデータを含め、
前記出力部は、前記検索部が抽出した定期預金のデータを、金利順、特典グループごと、利用可能な地域ごと、又は預入期間ごとに並べて、出力する、定期預金抽出システム。
【請求項５】
請求項１〜４のいずれか１項に記載の定期預金抽出システムであって、
前記データベースは、複数の絶対的条件を包含する概念である包含絶対的条件をさらに記録し、
前記検索条件設定部は、前記利用者が前記包含絶対的条件をさらに選択可能とするか、又は、前記利用者から受け付けた前記人的要素に基づいて前記包含絶対的条件を決定可能とする、定期預金抽出システム。
【請求項６】
請求項１〜請求項５のいずれか１項に記載の定期預金抽出システムの動作方法。
【請求項７】
請求項１〜請求項６のいずれか１項に記載の各部をコンピュータに実現させるための定期預金抽出プログラム。
【発明の詳細な説明】
【技術分野】
【０００１】
本発明は、定期預金に関する情報を記録したデータベースから、コンピュータを用いて情報を抽出する技術に関する。
【背景技術】
【０００２】
近年、複数の円建て定期預金の金利等に関する情報を、比較可能な態様で表示するシステムが、開発されている。例えば、下記非特許文献１として挙げるインターネットサイトでは、銀行、信用金庫、信用組合その他組合等の全国の金融機関の定期預金の金利を比較可能な態様で表示される。このサイトでは、１ヶ月、２ヶ月、３ヶ月、６ヶ月、１年、２年、３年、５年、６年〜の満期毎に、金利の高い順に、定期預金のレコードを並べ替えて表示することが可能になっている。この他にも、金利の高い順に複数の定期預金を並べて表示するサイトは、下記非特許文献２〜４として挙げるインターネットサイトで提供されている。
【先行技術文献】
【非特許文献】
【０００３】
【非特許文献１】“銀行商品コム”、「円定期預金  高金利商品  総合  全国」、[online]、サイト運営者：銀行商品コム（代表：奴田原惇郎）、［平成２６年５月１日検索］、インターネット(URL:http://www.ginko-shohin.com/)
【非特許文献２】“価格．ｃｏｍ”、「ホーム＞マネー＞定期預金比較」、[online]、サイト運営者：株式会社カカクコム、［平成２６年５月１日検索］、インターネット(URL:http://kakaku.com/teiki/)
【非特許文献３】“比較．ｃｏｍ”、「比較．ｃｏｍ＞銀行比較トップ＞ネットバンク・銀行比較」、[online]、サイト運営者：比較．ｃｏｍ株式会社、［平成２６年５月１日検索］、インターネット(URL:http://www.hikaku.com/bank/)
【非特許文献４】“最速資産運用”、「定期預金（１年以内）の高金利ランキング」、[online]、サイト運営者：株式会社Ｍ＆Ａバンク、［平成２６年５月１日検索］、インターネット(URL:http://ma-bank.net/word/20/)
【発明の概要】
【発明が解決しようとする課題】
【０００４】
定期預金には、その定期預金を利用するための条件が設定されていることがある。特に、高金利の定期預金には種々の条件が設定される傾向がある。例えば、投資信託や外貨預金等のリスクが高い商品とセットで利用することが条件となっているもの、最低預入金額が設定されているもの、又は、１年以内に退職金を受け取った個人であることが条件となっているもの、等が挙げられる。これらの定期預金のうち、投資信託や外貨預金とセットになっているものや、最低預入金額が設定されているものについて、利用者は、条件を受け入れるか否かを判断して、利用するかどうかを決めることができる。これに対して、例えば、１年以内の退職金の受取といった条件は、退職金を受け取っていない者は、利用者の判断に関わらず満たすことができない。このように、利用者は、全ての定期預金を利用できるとは限らない。利用者の状況によっては、利用したくても利用できない定期預金が存在することになる。
【０００５】
上記従来のシステムでは、利用者の状況に応じた情報の表示を行っていない。例えば、上記非特許文献２及び非特許文献３として挙げられるサイトでは、退職金の受取というような利用者の状況によっては満たすことができないような条件が設定された定期預金については対象としていない。これらのサイトでは、特殊な条件が設定されていない、わずか１０〜３０程度の定期預金について表示されるのみである。この場合、特殊な条件を満たすことができる利用者は、もっと有利な金利で利用できる定期預金を見逃すことになる。
【０００６】
また、上記非特許文献４では、組合員限定や、大阪市近辺に居住又は勤務、又は、省電力設備への投資等といった様々な条件が付された定期預金がリストの中に混在して表示されている。そのため、利用者が、望む金利の定期預金をリストの中に見つけたとしても、その定期預金の条件を満たせないために利用できない場合が多くなる。
【０００７】
有利な金利の定期預金に設定される条件は、多種多様であり、複雑に重なりあっていることが多い。例えば、退職金受取の条件としても、１年以内に退職金を受け取った者、６ヶ月以内に退職金を受け取った者、所定の年齢を超えている者、年金の受取を予約した者、又は、個人事業主でない者、等の多様な条件のうちの２つ以上の条件が重なって設定されることがある。従来のシステムでは、多様で複雑な条件が設定された定期預金の中から、利用者の状況に応じて利用できる定期預金を正確に抽出し提示するのは困難であった。
【０００８】
そこで、本願は、多様な条件が設定された定期預金の中から、利用者の状況に合った条件を持つ定期預金を抽出することができるコンピュータシステムを開示する。
【課題を解決するための手段】
【０００９】
本願開示の定期預金抽出システムは、複数の定期預金を識別するデータと、各定期預金に付された、定期預金を利用するための諸条件のうち人的条件であって利用者の状況によっては満たすことが不可能となり得る絶対的条件若しくは複数の絶対的条件を要約する概念である要約絶対的条件を示すデータとが記録されたデータベースにアクセスし、指定された検索条件に合う定期預金のデータを抽出する検索部と、前記検索部が前記データベースから前記定期預金のデータを抽出する際の前記検索条件の元となるデータの入力を、利用者から受け付ける検索条件設定部と、前記検索部によって抽出された前記定期預金のデータを出力する出力部とを備える。前記検索条件設定部は、前記利用者に、前記データベースに記録された前記絶対的条件若しくは前記要約絶対的条件の少なくとも１つを選択させるか、又は、前記利用者の人的要素に関する情報を受け付けて、当該人的要素に基づいて、前記利用者が満たす絶対的条件若しくは要約絶対的条件を決定する。前記検索部は、前記検索条件設定部で選択又は決定された絶対的条件若しくは要約絶対的条件を検索条件に含める。これにより、利用者が選択した絶対的条件若しくは要約絶対的条件、又は、利用者から受け付けた人的要素を基に決定された絶対的条件若しくは要約絶対的条件に応じた定期預金が抽出される。そのため、種々の条件が設定された定期預金の中から、利用者の状況に合った条件を持つ定期預金を抽出することができる。
【００１０】
前記検索条件設定部は、前記利用者に、前記データベースに記録された前記絶対的条件若しくは前記要約絶対的条件の少なくとも１つを選択可能とし、かつ、前記利用者から前記人的要素に関する情報の受け付けも可能とすることができる。これにより、利用者による、検索条件の元となるデータの入力態様の幅が広がる。そのため、利用者の状況が検索条件に反映されやすくなる。その結果、利用者の状況に応じた定期預金を抽出しやすくなる。
【００１１】
前記データベースは、前記複数の定期預金のうち少なくとも１つの定期預金に付されたリスク条件を示すデータをさらに記録することができる。この場合、前記検索条件設定部は、前記利用者が希望するリスク条件の入力をさらに受け付け、前記検索部は、前記検索条件設定部が受け付けたリスク条件を検索条件に含めることができる。これにより、利用者の希望するリスク条件に合う定期預金を抽出することができる。
【００１２】
前記データベースは、前記複数の定期預金の金利、特典、利用可能な地域、及び預入期間のうち少なくとも１つを示すデータをさらに記録することができる。この場合、前記検索部は、抽出する定期預金のデータに、定期預金の金利、特典、利用可能な地域、及び預入期間の少なくとも１つを示すデータを含めることができる。また、前記出力部は、前記検索部が抽出した定期預金のデータを、金利順、特典グループごと、利用可能な地域ごと、又は預入期間ごとに並べて、出力することができる。これにより、利用者は、出力された定期預金の並び順に応じて、自身の状況や希望に応じた定期預金を見つけやすくなる。
【００１３】
前記データベースは、複数の絶対的条件を包含する概念である包含絶対的条件をさらに記録することができる。この場合、前記検索条件設定部は、前記利用者が前記包含絶対的条件をさらに選択可能とするか、又は、前記利用者から受け付けた前記人的要素に基づいて前記包含絶対的条件を決定可能とすることができる。このように、包含絶対的条件をデータベースに記録し、検索に用いることで、効率のよい検索が可能になる。
【００１４】
上記の定期預金抽出システムの動作方法も、本発明の実施形態の一つである。また、定期預金抽出システムの上記各部をコンピュータに実現させるためのプログラム又は、そのようなプログラムを記録した一過性でない（non-transitory）記録媒体も本発明の実施形態に含まれる。
【発明の効果】
【００１５】
本願開示によれば、種々の条件が設定された定期預金の中から、利用者の状況に合った条件を持つ定期預金を抽出できるコンピュータシステムが実現できる。
【図面の簡単な説明】
【００１６】
【図１】図１は、実施形態１における定期預金抽出システムの構成例を示す機能ブロック図である。
【図２】図２は、定期預金データベース５に記録されるテーブルのデータ内容の一例を示す図である。
【図３】図３は、定期預金抽出システム１の動作例を示すフローチャートである。
【図４】図４は、入力受付画面の一例を示す図である。
【図５】図５は、検索結果の表示例を示す図である。
【図６】図６は、要約絶対的条件を選択可能とした入力受付画面の例を示す図である。
【図７】図７は、人的要素の入力を受け付ける入力画面の例を示す図である。
【図８】図８は、実施形態３における入力受付画面の変形例を示す図である。
【図９】図９は、包含絶対的条件を選択可能な入力受付画面例を示す図である。
【発明を実施するための形態】
【００１７】
以下、本発明の実施の形態を、図面を参照して詳しく説明する。図中同一又は相当部分には同一符号を付してその説明は繰り返さない。
【００１８】
（実施形態１）
＜システム構成例＞
図１は、実施形態１における定期預金抽出システムの構成例を示す機能ブロック図である。図１に示す定期預金抽出システム１は、複数の定期預金に関する情報を記録した定期預金データベース５から、検索条件に応じた定期預金を抽出し、出力するものである。図１に示す例では、定期預金抽出システム１は、定期預金データベース５及び利用者端末６とデータ通信可能である。また、定期預金抽出システム１は、検索条件設定部２、検索部３、及び、出力部４を備える。
【００１９】
図１に示す定期預金抽出システム１において、定期預金データベース５は、複数の定期預金それぞれを識別するデータと、複数の定期預金の少なくとも１つの絶対的条件又は要約絶対的条件を示すデータを記録する。絶対的条件は、定期預金を利用するための諸条件のうち人的条件であって利用者の状況によっては満たすことが不可能となり得る条件である。要約絶対的条件は、複数の絶対的条件を要約する条件である。
【００２０】
検索条件設定部２は、検索部３が定期預金データベース５から定期預金のデータを抽出する際の検索条件の元となるデータの入力を、利用者から受け付ける。検索条件設定部２は、例えば、定期預金データベース５に記録された複数の絶対的条件を示すデータを利用者端末６へ送信する。検索条件設定部２は、利用者端末６に、複数の絶対的条件のうち少なくとも１つを利用者が選択可能な態様で表示させることができる。又は、検索条件設定部２は、定期預金データベース５に記録された要約絶対的条件を利用者端末６へ送信し、要約絶対的条件の少なくとも１つを利用者が選択可能な態様で利用者端末６に表示させることができる。
【００２１】
或いは、検索条件設定部２は、利用者の人的要素を入力可能な画面を、利用者端末６に表示させてもよい。この場合、利用者端末６を介して入力された人的要素に基づいて、利用者が満たす絶対的条件又は要約絶対的条件を決定することができる。なお、利用者の人的要素は、利用者に関する要素を示すデータと言うこともできる。例えば、利用者に特有の状況又は属性を示すデータを、人的要素として得ることができる。このようにして、検索条件設定部２は、利用者の満たす絶対的条件又は要約絶対的条件に関するデータの入力を受け付けるインターフェースを提供することができる。
【００２２】
検索部３は、検索条件設定部２が取得した絶対的条件又は要約絶対的条件を含む検索条件を用いて、定期預金データベース５を検索する。検索部３は、例えば、検索条件設定部２が取得した絶対的条件又は要約絶対的条件を検索キーとして、定期預金データベース５を検索することができる。これにより、検索条件に合う定期預金のデータが定期預金データベース５から抽出される。
【００２３】
出力部４は、検索部３によって抽出された定期預金のデータを出力する。出力部４は、例えば、抽出された定期預金のデータを、利用者端末６へ送信するか、利用者端末６からアクセス可能なメモリに格納することができる。
【００２４】
定期預金抽出システム１は、１又は複数のコンピュータにより構成することができる。検索条件設定部２、検索部３、及び出力部４は、コンピュータが備えるプロセッサが、メモリに格納された所定のプログラムを実行することにより、実現することができる。そのようなプログラムや、プログラムを記録した記録媒体も発明の実施形態の一つである。一例として、定期預金抽出システム１は、検索条件設定部２、検索部３、及び出力部４を実現するプログラムをインストールしたサーバマシンで構成することができる。定期預金データベース５は、サーバマシンがアクセス可能な記録装置を用いて構成することができる。利用者端末６は、サーバマシンと通信可能なクライアントマシンで構成することができる。
【００２５】
＜定期預金データベースの構成例＞
定期預金データベース５には、複数の定期預金を識別するデータと、定期預金の絶対的条件若しくは要約絶対的条件を示すデータとが記録される。例えば、退職金の受取、扶養する子供、年金の受取、要介護又は要支援の認定の有無、年齢、性別、運転免許返上の有無、相続、居住地、勤務地、所属団体等に関する条件のように、利用者の状況によって条件を満足できるか否かが変わってくるような条件を、絶対的条件として、データベースに記録することができる。複数の定期預金に付された諸条件のうち一部が、このような絶対的条件として、データベース上のデータによって定義される。これにより、例えば、定期預金の金利、預入期間、投資信託とのセット購入等のように、利用者の判断によって条件を満足するか否かを制御できるような条件と、利用者の判断のみによっては条件を満足するか否かを制御できない絶対的条件とを、データ上で区別することができる。そのため、後述するように、利用者の状況に応じた定期預金の検索処理が可能になる。
【００２６】
要約絶対的条件は、複数の絶対的条件を要約する概念である。例えば、定期預金データベース５に記録されている複数の絶対的条件を、いくつかの区分に分け、各区分に相当する条件を要約絶対的条件とすることができる。すなわち、要約絶対的条件のデータは、複数の絶対的条件を要約して表すデータである。定期預金データベース５には、要約絶対的条件と定期預金との対応関係を記録することができる。具体例は、後述する。定期預金データベースには、絶対的条件又は要約絶対的条件のいずれか、或いは、その両方を示すデータを記録することができる。
【００２７】
絶対的条件又は要約絶対的条件を示すデータは、定期預金を識別するデータと対応付けて記録される。すなわち、定期預金データベース５には、定期預金と、その定期預金の絶対的条件又は要約絶対的条件との対応関係が記録される。なお、絶対的条件又は要約絶対的条件を示すデータは、定期預金データベース５に記録された定期預金のうち一部に対応付けて記録される場合が多く、必ずしも、全ての定期預金について記録される必要はない。
【００２８】
図２は、定期預金データベース５に記録されるテーブルのデータ内容の一例を示す図である。図２に示すテーブルには、絶対的条件を示すデータと、リスク条件を示すデータが含まれる。リスク条件は、絶対的条件ではない条件であって、定期預金のリスクに関する条件である。図２に示すテーブルにおける金融機関名及び商品名は、定期預金を識別するデータの一例である。絶対的条件は、複数の項目で表される。すなわち、金融機関名及び商品名で識別される定期預金それぞれに対応して、複数の項目の絶対的条件のデータが設定される。絶対的条件の複数の項目それぞれについて値が格納される。この値により、金融機関名及び商品名で識別される定期預金が、複数の項目のうちどの項目の絶対的条件を有しているかが示される。図２に示す例では、絶対的条件の項目ごとに設定される値「１」又はＮＵＬＬ値（データなしを示す値）によって、定期預金に付された絶対的条件の内容が記録される。なお、図２では、１つの定期預金について、１つの項目の絶対的条件が設定される場合のデータを例示しているが、複数の絶対的条件が１つの定期預金に設定される場合をデータで表すこともできる。
【００２９】
また、例えば、利用者が「退職金受取から１年以内」の絶対的条件を満たす場合は、「退職金受取から１年６ヶ月以内」の絶対的条件も自動的に満たすことになる。このような複数の絶対的条件間の対応関係を示すデータも、定期預金データベース５に記録することができる。
【００３０】
図２に示す例では、絶対的条件の複数の項目は、複数のカテゴリに分類されている。ここでは、一例として、絶対的条件の複数の項目は、退職金受取に関する条件と、扶養する子に関する条件の２つのカテゴリに分類されている。このように、絶対的条件の複数の項目と、各項目が属するカテゴリとの対応を示すデータを、定期預金データベース５に記録することができる。これにより、絶対的条件の項目が整理され、例えば、利用者が絶対的条件の指定をしやすくなるような入力インターフェースの提供が可能になる。また、図２に示す例では、絶対的条件の有無を示す値を記録するための項目（「絶対的条件なし」の項目）も設けられる。これにより、例えば、絶対的条件がない定期預金を効率よく抽出することが可能になる。
【００３１】
リスク条件についても、同様に複数の項目が設けられ、各項目について値が記録される。このように、図２に示す例では、利用者の状況によっては満たすことが不可能となり得る絶対的条件と、利用者が、受け入れるか否かを選択することができるリスク条件の双方が記録されている。利用者の状況によっては満たすことが不可能となり得る条件と、そうでない条件とをデータとして区別可能な形態で記録することにより、利用者の状況に応じた定期預金を抽出しやすくなる。なお、リスク条件のデータを省略し、絶対的条件のデータのみを定期預金データベース５に記録することもできる。
【００３２】
なお、本実施形態で挙げられる絶対的条件の具体例は、一例であり、絶対的条件は、これらに限定されない。また、絶対的条件としてデータベースに記録する条件は、特定の事項に固定されず、システム要件その他の状況に応じて、適宜決定することができる。
【００３３】
また、図２に示す内容に加えて、必要に応じて定期預金のデータを記録することができる。例えば、定期預金の金利、預入期間（満期）、取引開始年月日、及び取引終了年月日特典、利用可能な地域等、定期預金に関するデータを、定期預金の識別データに対応付けて記録することができる。
【００３４】
絶対的条件又は要約絶対的条件を示すデータの形式は、特定のものに限定されない。図２に示す例では、行と列を有するテーブルにデータを記録するリレーショナルデータベースの例を示している。この他に、例えば、オブジェクトデータベースやＸＭＬデータベース、木構造データ等を、定期預金データベース５とすることもできる。
【００３５】
＜定期預金抽出システムの動作例＞
図３は、定期預金抽出システム１の動作例を示すフローチャートである。図３に示す例では、検索条件設定部２が、利用者からの検索条件の元となるデータの入力の受付を開始する（Ｓ１）。検索条件設定部２は、例えば、入力受付画面を構成するためのデータを生成して、利用者端末６に送信する。利用者端末６は、例えば、ブラウザのプログラムを実行することにより、検索条件設定部２から送信されたデータに基づく入力受付画面を表示する。入力受付画面は、例えば、利用者が満たす絶対的条件又は要約絶対的条件、或いは、利用者の人的要素を、利用者が入力できるよう構成される。ここでは、入力受付画面が、利用者から絶対的条件の入力を受け付ける画面である場合の例を説明する。
【００３６】
図４は、入力受付画面の一例を示す図である。図４に示す画面例では、図２に示した定期預金データベースに記録された絶対的条件及びリスク条件の各項目が、選択可能な状態で表示される。絶対的条件の項目は、カテゴリ（図４に示す例では、退職金受取に関する条件及び扶養する子に関する条件）ごとにまとまって表示される。
【００３７】
利用者は、利用者が満たす絶対的条件の項目のチェックボックスにチェックを入れることで、該当する絶対的条件を選択することができる。また、利用者が、希望するリスク条件の項目のチェックボックスにチェックを入れることで、リスク条件を選択することができる。チェックボックスにチェックが入った状態でＯＫボタンがクリックされると、チェックされた項目の絶対的条件及びリスク条件を示すデータが、利用者端末６から定期預金抽出システム１へ送信される。この場合、定期預金抽出システム１は、利用者から検索条件の元となるデータの入力があったと判断する（図３のＳ２でＹＥＳ）。なお、絶対的条件のいずれの項目もチェックされない状態でＯＫボタンがクリックされた場合、定期預金抽出システム１は、利用者はいずれの絶対的条件も満たさない、と判断することができる。
【００３８】
利用者からデータの入力があったと判断された場合、検索条件設定部２は、入力されたデータに基づいて、検索条件を決定する（Ｓ３）。検索条件設定部２は、利用者が選択した絶対的条件及びリスク条件を含む検索条件を設定する。検索条件設定部２は、例えば、利用者が選択した定期預金に対応付けられた絶対的条件及びリスク条件のデータが、利用者から入力されたデータに基づく絶対的条件及びリスク条件にマッチするような定期預金のデータを抽出の対象とするような検索条件を設定することができる。
【００３９】
一例として、図２に示すテーブルを持つ定期預金データベース５を検索対象とする場合、検索条件設定部２は、絶対的条件についての検索条件として、利用者が選択した絶対的条件の項目以外の絶対的条件の項目がすべてＮＵＬＬ値である（「１」ではない）定期預金のレコードを抽出、という検索条件を設定することができる。さらに、リスク条件についての検索条件として、利用者が選択したリスク条件の項目が全て「１」である定期預金のレコードを抽出、という検索条件を設定することができる。
【００４０】
検索部３は、Ｓ３で決定された検索条件を用いて、定期預金データベース５を検索する（Ｓ４）。検索部３は、例えば、上記の絶対的条件についての検索条件とリスク条件についての検索条件の両方を満たすレコードを、定期預金データベース５から抽出することができる。
【００４１】
出力部４は、Ｓ４の検索により抽出された定期預金のデータを、利用者端末６へ出力する（Ｓ５）。例えば、出力部４は、抽出された定期預金のデータとして、金融機関名、商品名、絶対的条件、及びリスク条件を含むデータを、利用者端末６に送信することができる。さらに、抽出された定期預金のデータには、例えば、定期預金の金利、預入期間（満期）、取引開始年月日、及び取引終了年月日、特典、利用可能な地域等、その他の定期預金に関するデータを含めることができる。利用者端末６は、出力部４から送信された定期預金のデータを表示する。
【００４２】
図５は、検索結果の表示例を示す図である。図５に示す例では、検索部３により抽出された定期預金の金融機関名、商品名、預入期間、金利（年金利）、絶対的条件の内容、及びリスク条件の内容が、定期預金ごとに表示される。出力部４は、抽出された複数の定期預金が画面において表示される順番を制御することができる。例えば、図５に示すように、出力部４は、利用者端末６に、抽出された複数の定期預金を、金利の高い順にリストの上から並べて表示させることができる。出力部４は、例えば、抽出された定期預金のデータを、利用者端末６で表示する順番が認識可能なデータ構造にして利用者端末６へ送信することができる。
【００４３】
定期預金の表示順を制御する場合、出力部４は、Ｓ４で抽出された定期預金のデータを、例えば、金利に基づいて並び替えることができる。出力部４は、この並び順で、抽出された定期預金の情報を利用者端末６に表示させる。具体的には、出力部４は、抽出された複数の定期預金の識別データと、識別データに対応付けられた金利、預入期間、商品名、金融機関名等の情報とを含むレコードを、並べ替える処理を実行する。出力部４は、各レコードに含まれる各定期預金の金利に基づいて、上記複数の定期預金のレコードをソートする。これにより、出力部４は、例えば、金利の高い順に複数の定期預金を並べ替えることができる。なお、この並び替え処理は、検索部３が実行してもよい。
【００４４】
なお、図５に示す例では、預入期間に関わらず金利の高い順に定期預金が表示されている。これに対して、例えば、預入期間が１年の定期預金について金利の高い順に並べて表示してもよい。また、他の例として、同じ又は類似の特典を持つ定期預金群、利用可能な地域が同じ定期預金群、又は預入期間が同じ定期預金群がグループ化されて、グループごとにまとめて表示されてもよい。この場合、さらに、各グループ内において金利に基づく順番で、定期預金を並べて表示することもできる。
【００４５】
ここで、特典とは、定期預金に付される特典である。特典の内容は、特に限定されないが、例えば、抽選で、商品、スポーツ観戦チケット、又は旅行宿泊券等の景品が当たるといった特典、プロスポーツ応援の特典（景品特定のチームが目標とする成績を収めた場合に金利が高くなる等）、宝くじ付、等が挙げられる。また、例えば、抽出された複数の定期預金を、特典付の定期預金のグループと、特典の付いていない定期預金のグループとに分けて、各グループ内で、金利順に定期預金を並べて表示することもできる。
【００４６】
図５に示す画面において、例えば、「終了」ボタンがクリックされた場合、定期預金抽出システムは、ユーザからの終了指示があったと判断し（図３のＳ６でＹＥＳ）、抽出処理を終了する。図５に示す画面において、「入力画面へ戻る」ボタンがクリックされた場合、検索条件設定部２は、終了でないと判断し（Ｓ３のＳ６でＮＯ）、再び、入力受付画面を利用者端末６に表示させる（Ｓ１）。Ｓ２で、利用者からの入力ありと判断された場合（ＹＥＳ）、定期預金抽出システムは、再び、Ｓ３〜Ｓ６の処理を実行する。
【００４７】
図３に示す動作例によれば、利用者からの絶対的条件についての入力を受け付ける処理が実行され、利用者が絶対的条件に関するデータを入力し、この絶対的条件に基づいて定期預金データベース５の検索が実行される。そのため、利用者が利用可能な定期預金の情報を、利用者が要求するタイミングで、提示することができる。なお、上記図３に示す動作例は一例であり、定期預金抽出システム１の動作は上記例に限られない。
【００４８】
本実施形態における定期預金抽出システム１は、定期預金の絶対的条件を示すデータが導入された定期預金データベース５にアクセスし、この絶対的条件に関する情報を利用者とやり取りするためのユーザインタフェースを備える。そして、利用者の状況に応じた絶対的条件を検索条件に含めて、定期預金データベース５を検索することを可能にする構成が、定期預金抽出システム１において実現される。
【００４９】
（実施形態２）
実施形態２は、上記の実施形態１において、絶対的条件に加えて、又は絶対的条件に替えて、要約絶対的条件を用いる場合の例である。本実施形態では、一例として、定期預金によって種々の絶対的条件を、最多条件、寛大条件、及び偏狭条件の３つの区分に分類し、各区分に対応する要約絶対的条件を設定する。要約絶対的条件の設定例を下記表１に示す。
【表１】
2015232744.tif 000003
【００５０】
上記表１の例では、最多条件は、定期預金データベース５に記録された複数の定期預金のうち最も多数の定期預金で用いられる絶対的条件、及びこれよりも寛大な絶対的条件とする。寛大条件は、定期預金データベース５に記録された絶対的条件のうち利用者にとって最も寛大な絶対的条件とする。偏狭条件は、利用者にとって最も厳しい絶対的条件、及びこれよりも寛大な絶対的条件とする。このように、絶対的条件の広狭及び使用頻度に基づいて、絶対的条件を分類することにより、利用者が選択しやすい要約された絶対的条件を定義することができる。
【００５１】
１つの要約絶対的条件は、複数の絶対的条件を代表して表すもの、すなわち要約するものと言える。ここで、１つの要約絶対的条件で要約される複数の絶対的条件の一部が、他の要約絶対的条件で要約される複数の絶対的条件の一部を重複していてもよい。また、要約絶対的条件は、カテゴリごとに設定することができる。すなわち、各カテゴリの絶対的条件を複数の区分に分けることができる。各カテゴリの各区分に対応する要約絶対的条件のデータを、定期預金データベース５に記録することができる。
【００５２】
このように、本実施形態では、絶対的条件は、それ以上分けることができない条件の項目となっており、要約絶対的条件は、複数の絶対的条件をグループ化したものとなっている。以下に示す例では、定期預金データベース５に記録される複数の定期預金に付された種々の絶対的条件をその内容に応じて複数のカテゴリに分類し、各カテゴリ内の絶対的条件を所定の基準でグループ化したものが要約絶対的条件となっている。
【００５３】
下記表２〜表４は、退職金受取、扶養する子、相続の３つのカテゴリそれぞれに設定される要約絶対的条件の具体例を示す。
【表２】
2015232744.tif 000004
【表３】
2015232744.tif 000005
【表４】
2015232744.tif 000006
【００５４】
例えば、上記表２に示す例では、偏狭条件は、「退職金受取から６ヶ月以内の方」という絶対的条件と、「Ｄ銀行の口座で退職金受取の方」という絶対的条件とを「又は（ＯＲ）」で繋いだ組み合わせとなっている。このように、利用者にとって最も狭くて厳しい絶対的条件が、複数存在し得る場合は、これらの複数の絶対的条件の組み合わせを偏狭条件とすることができる。或いは、偏狭条件となり得る複数の絶対的条件のうち一部を偏狭条件に設定することもできる。また、表３に示す例のように、最多条件と寛大条件が同じになる場合もあり得る。
【００５５】
上記表２〜４に示すような要約絶対的条件と絶対的条件との対応関係を示すデータは、例えば、定期預金データベース５のテーブルとして記録することができる。例えば、要約絶対的条件と絶対的条件との対応関係を示すデータは、カテゴリごとに記録することができる。検索部３は、このような対応関係を示すデータを参照することにより、検索条件として指定された要約絶対的条件に対応する絶対的条件群を決定することができる。そして、検索部３は、この決定した絶対的条件群に対応する定期預金を、図２に示すテーブルから抽出することができる。なお、要約絶対的条件のデータ構成は、上記の要約絶対的条件と絶対的条件との対応関係を示すデータに限られない。例えば、要約絶対的条件と定期預金との対応関係を表すデータを定期預金データベース５に記録することができる。
【００５６】
図６は、上記表２〜４に示す要約絶対的条件を選択可能とした入力受付画面の例を示す図である。図６に示す例では、退職金受取に関する絶対的条件、扶養する子及び相続に関する絶対的条件の各カテゴリにおいて、最多条件、寛大条件、及び偏狭条件が、要約絶対的条件として選択可能となっている。このように、利用者に、要約絶対的条件を選択できるようにすることで、利用者による選択作業が楽になる。例えば、利用者は、絶対的条件の全てを一つずつ確認して選択するか否かを決める必要はなく、要約された絶対的条件を確認して選択するだけですむ。
【００５７】
例えば、定期預金データベース５に記録される絶対的条件の数が多くなると、利用者がチェックしなければいけない絶対的条件の数が増え、利用者の負担が大きくなる。そのため、上記表２〜３に示す例のように、定期預金データベース５に記録された複数の絶対的条件を３区分に分けて、各区分に対応する要約絶対的条件に要約して表示することができる。利用者はこの３区分より選んで該当又は希望の定期預金を抽出することになるので、利用者の負担が軽減する。
【００５８】
検索条件設定部２は、利用者により選択された要約絶対的条件を含む検索条件を決定する。例えば、検索条件設定部２は、利用者に選択された要約絶対的条件に対応する絶対的条件を満たす定期預金を定期預金データベース５から抽出する、といった検索条件を決定することができる。これにより、検索処理も単純化することができる。
【００５９】
なお、要約絶対的条件の設定の仕方は、上記例、すなわち、最多条件、寛大条件、及び偏狭条件とする場合に限定されない。例えば、上記例では、複数の絶対的条件を３つの区分にグループ化しているが、区分の数は３つに限られない。区分の分け方についても、絶対的条件の頻度や広狭の他に、例えば、絶対的条件の種類や性質によってグループ化することができる。
【００６０】
また、要約絶対的条件として表示される名称も、上記の最多条件、寛大条件、偏狭条件の代わりに、例えば、「一般的な条件を満たす」、「緩い条件のみ満たす」及び「厳しい条件も満たす」等とすることができる。
【００６１】
また、図６に示す例では、要約絶対的条件の選択のみ可能な構成であるが、図４に示す絶対的条件の入力受付画面と、図６に示す要約絶対的条件の入力受付画面を組み合わせた画面を表示し、要約絶対的条件の選択、又は、絶対的条件の選択のいずれも可能な状態とすることもできる。
【００６２】
（実施形態３）
実施形態３は、実施形態１又は実施形態２において、利用者から絶対的条件又は要約絶対的条件の選択を受け付けるのに加えて、又は替えて、利用者の人的要素の入力を受け付ける場合の例である。
【００６３】
本実施形態では、利用者に関する要素であって、利用者の意思や判断により随時変更できる要素ではない状況、状態、又は属性を、人的要素として、入力を受け付ける場合について説明する。例えば、利用者の生年月日、利用者の子供の生年月日、退職金受取年月日又は受取予定年月日、及び、退職年月日又は退職予定年月日等が、人的要素の例として挙げられる。また、利用者の住所、勤務場所、預入可能額の最高金額、等は、利用者の意思によって自由にかつ容易に変更できない場合があるので、人的要素に含まれてもよい。これに対して、元本割れリスクのある投資信託とのセットとなっている定期預金を利用する意思があるか、又は、特典付きの定期預金の利用を希望する、等といった、利用者の意思や判断で随時変更可能なものは、本実施形態における人的要素には含まれない。
【００６４】
図７は、人的要素の入力を受け付ける入力画面の例を示す図である。図７に示す画面では、退職金受取年月日又は退職金受取予定年月日、退職年月日又は退職予定年月日、及び、利用者の扶養する子の生年月日の入力が可能となっている。図７に示す例では、退職金に関する人的要素の入力欄と、扶養する子に関する人的要素の入力欄がそれぞれ設けられている。このように、カテゴリごとに人的要素の入力を受け付けることができる。また、図７に示すように、退職金受取日や誕生日等のような具体的な年月日の入力の代わりに、退職からの経過年月や、子の数等、年月日より大まかな人的要素の入力ができる欄を設けてもよい。
【００６５】
なお、人的要素の入力欄の他にも、例えば、人的要素の入力のみでは利用者が満たすか否かを特定できない絶対的条件について、利用者からの入力を受け付けるためのチェックボックス等の入力欄を設けることもできる。
【００６６】
検索条件設定部２は、例えば、図７のような人的要素の入力受付画面を、利用者端末６に表示させることができる。検索条件設定部２は、利用者端末６を介して、利用者の人的要素を取得することができる。検索条件設定部２は、取得した人的要素を、利用者の識別データ（例えば、ＩＤ等）と対応付けて、定期預金抽出システム１からアクセス可能なメモリに記録しておくことができる。これにより、同じ利用者に、複数回、人的要素の入力作業をさせることを避けることができる。
【００６７】
検索条件設定部２は、利用者から入力された人的要素を用いて、その利用者が満たす絶対的条件を決定する。例えば、検索条件設定部２は、人的要素として入力された退職金受取年月日から今日までの日数、又は、今日から退職金受取予定年月日までの日数を計算する。計算された退職金受取日から今日までの日数に基づいて、退職金受取から１年６ヶ月以内、１年以内、又は、６ヶ月以内の絶対的条件のうちどれを利用者が満たしているかを判断することができる。また、検索条件設定部２は、上記の日数が、１年６ヶ月の日数を越える場合、退職金受取に関するいずれの絶対的条件も満たさないと判断することができる。また、退職金受取予定日を過ぎた場合、退職金受取予定日を退職金受取日として計算することができる。
【００６８】
また、検索条件設定部２は、扶養する子の生年月日から今日までの日数を計算し、この日数に基づいて、扶養する子に関する絶対的条件のうち利用者が満たす絶対的条件を決定することができる。例えば、扶養する子の年齢の条件、扶養する子の人数の条件、又は、児童手当受取の有無の条件を利用者が満たしているか否かを、上記日数によって判断することができる。
【００６９】
このように、検索条件設定部２は、利用者に入力された人的要素に関連する複数の絶対的条件の中から、入力された人的要素から得られる値に基づいて、利用者が満たす絶対的条件を決定することができる。例えば、人的要素として、退職金受取年月日が入力された場合、検索条件設定部２は、退職金受取のカテゴリに属する絶対的条件のうち、利用者が満たす絶対的条件を、退職金受取年月日から今日までの日数に基づいて、決定することができる。
【００７０】
検索条件設定部２は、利用者から入力された人的要素に基づいて利用者が満たす絶対的条件を決定する処理を実行する際に、例えば、人的要素又は人的要素から得られるデータと、種々の絶対的条件との対応関係を定めたデータを参照することができる。例えば、退職金受取年月日から現在までの日数と、退職金受取時に関する複数の絶対的条件との対応関係を示すデータ又は関数を、検索条件設定部２がアクセス可能なメモリに予め記録しておくことができる。検索条件設定部２は、退職金受取年月日から現在までの日数を計算し、この日数に対応する絶対的条件条件を、メモリのデータを参照するか、又は、関数を実行することにより取得することができる。
【００７１】
本実施形態のように、利用者から入力された人的要素に基づいて、利用者が満たす絶対的条件を決定することで、利用者の入力時の負担を軽減することができる。利用者は、絶対的条件を一つずつ確認して、該当するものを選択するという作業をしなくても、人的要素を入力することで、自動的に該当する絶対的条件が計算される。また、絶対的条件の中には、例えば、「退職金受取から１年以内」といった条件のように、時間の経過とともに、利用者が満たせるか否かが変化する可能性があるものが含まれる場合がある。その場合、利用者は、人的要素を入力しない形態であれば、検索の度に、自身が満たす絶対的条件を入力受付画面で選択する必要がある。これに対して、本実施形態では、検索条件設定部２が、人的要素を用いて、現時点で利用者が満たす絶対的条件を決定することができる。そのため、利用者は、一度、人的要素を入力すると、定期預金抽出システム１が、利用者の人的要素を記録しておくことで、利用者が検索の度に絶対的条件を指定しなくてもよくなる。
【００７２】
なお、利用者から入力を受け付ける人的要素は、上記例に限られない。上記例では、年月日の入力を受け付けているが、日は省略して、年月の入力を受け付けることもできる。また、上記例以外にも、例えば、居住地、勤務地、利用者の生年月日、所属する団体その他絶対的条件の特定に用いられる情報を、人的要素として利用者からの入力を受け付けることができる。
【００７３】
（変形例）
図８は、本実施形態における入力受付画面の変形例を示す図である。図８に示す入力受付画面は、人的要素の入力と、絶対的条件の選択の両方を受け付けることができる。図８に示す画面は、図７に示す入力受付画面の人的要素の入力受付の欄と、図４に示す入力受付画面の絶対的条件の選択受付の欄とを組み合わせたものである。この例では、各カテゴリについて、人的要素の入力と、絶対的条件の選択の両方を受け付けている。なお、図８に示す画面おいて、絶対的条件の替わりに、又は、絶対的条件に加えて、要約絶対的条件を受け付ける構成とすることもできる。この場合、図６に示す要約絶対的条件の選択受付の欄と、図７に示す入力受付画面の人的要素の入力受付の欄とを組み合わせて、入力受付画面とすることができる。
【００７４】
この場合、利用者は、人的要素又は絶対的条件のどちらを入力するかを選ぶことができる。例えば、入力の手間を軽減したい利用者は、人的要素を入力することができる。また、人的要素として個人情報を入力することに抵抗がある利用者は、人的要素を入力せず、絶対的条件を選択することができる。このように、人的要素の入力と絶対的条件の指定とを併用することで、利便性が向上する。
【００７５】
（実施形態４）
実施形態４は、利用者が、絶対的条件又は要約絶対的条件に加えて、複数の絶対的条件を包含する概念である包含絶対的条件を選択できるようにした形態である。包含絶対条件は、例えば、複数の絶対的条件又は要約絶対的条件の上位の条件とすることができる。ここで、上位の条件と下位の条件との関係は、下位の条件を満たす場合は必ず上位の条件を満たすが、その逆は、必ずしも成り立つとは限らないものとする。例えば、３つの絶対的条件「６ヶ月以内に退職金受取」、「１年以内に退職金受取予定」、及び「Ｄ銀行の口座で退職金受取」の上位の条件として、「退職金受取又は受取予定がある」が挙げられる。このように、複数の絶対的条件を下位の条件として包含する条件を、包含絶対的条件とすることができる。
【００７６】
図９は、包含絶対的条件を選択可能な入力受付画面例を示す図である。図９に示す画面は、図４に示す画面に、包含絶対的条件のチェック欄を追加した構成となっている。ここで、「退職金を受け取った又は受け取る予定がある」及び「扶養する子がいる」が、包含絶対的条件の一例である。この例では、退職金受取のカテゴリに属する全ての絶対的条件の上位の条件を、包含絶対的条件としている。また、扶養する子のカテゴリに属する全ての絶対的条件の上位の条件も、包含絶対的条件としている。そのため、「退職金を受け取った又は受け取る予定がある」及び「扶養する子がいる」の表記を、例えば、「退職金受取に関する条件がある定期預金を全て表示する」及び「扶養する子に関する条件がある定期預金を全て表示する」に置き換えることもできる。
【００７７】
利用者が、包含絶対的条件を選択した場合、その包含絶対的条件に包含される全ての絶対的条件が自動的に選択される。図９に示す例では、退職金受取のカテゴリの包含絶対的条件が選択されると、検索条件設定部２は、例えば、退職金受取のカテゴリに含まれる絶対的条件が全て選択されたとして処理する。この場合、退職金受取のカテゴリの絶対的条件を持つ定期預金を全て抽出、という検索条件が設定される。このように、本例では、カテゴリごとに、カテゴリ内の全ての絶対的条件を包含する包含絶対的条件が設けられている。
【００７８】
定期預金データベース５に、包含絶対的条件と、その包含絶対的条件に包含される複数の絶対的条件との関係を示すデータを記録することができる。例えば、本実施形態では、定期預金データベース５のテーブル構成は、図２と同様にすることができる。図２に示すテーブルでは、退職金受取のカテゴリに含まれる絶対的条件の項目が明らかになっている。本例では、絶対的条件のカテゴリが、包含絶対的条件に対応しているので、図２に示すテーブルでは、包含絶対的条件（カテゴリ）と、絶対的条件の項目との関係が定義されていると言うことができる。なお、図２は、説明の便宜上、カテゴリと絶対的条件の項目との関係、及び、定期預金と絶対的条件の各項目との関係が、１つのテーブルで定義されるように図示しているが、これらは、それぞれ、別々の独立したテーブルで定義することができる。
【００７９】
このように、包含絶対的条件を定期預金データベース５で設定し、利用者がこの包含絶対的条件を選択可能にすることで、利用者の利便性を向上させることができる。例えば、利用者は、とりあえず、入力受付画面で、包含絶対的条件を選択することにより、包含絶対的条件が付された定期預金を全て抽出することができる。抽出された定期預金を見て、具体的にどのような絶対的条件が設定されているのかを調べることができる。その上で、再び、入力受付画面で、より詳細に絶対的条件を選択して、検索対象を絞って、利用者の状況に合う定期預金を抽出することができる。
【００８０】
なお、包含絶対的条件の形態は、上記例に限定されない。上記例では、１つのカテゴリに属する絶対的条件を全て包含する包含絶対的条件が設定されている。この他に、例えば、１つのカテゴリに属する絶対的条件の一部を包含する包含絶対的条件を設定することができる。また、階層構造を持つ複数の包含絶対的条件を設定することもできる。具体例としては、退職金受取日に関する複数の絶対的条件の上位の包含絶対的条件「退職金受取日の条件がある」、退職日に関する複数の絶対的条件の上位の包含絶対的条件「退職日の条件がある」、及び退職金受取の口座に関する複数の絶対的条件の上位の包含絶対的条件「退職金受取口座の条件がある」といった包含絶対的条件を設定し、これらの３つの包含絶対的条件のさらに上位の包含絶対的条件として、「退職金を受け取った又は受け取る予定がある」を設定することができる。
【００８１】
＜実施形態の効果＞
上記実施形態の定期預金抽出システム１は、定期預金に付されている多種多様な条件のうち絶対的条件が記録された定期預金データベース５にアクセス可能である。そして、定期預金抽出システム１は、利用者からの絶対的条件の選択又は人的要素の入力に基づく検索条件を用いて、定期預金データベース５から定期預金を抽出する。これにより、利用者が利用可能な定期預金を的確に抽出して、利用者に提示することができる。利用者は、自身の状況に応じて利用可能な定期預金のリストを得ることができる。なお、従来の定期預金のデータ提示システムには、このような構成はなかった。また、従来、利用者が現実に利用できる定期預金のデータを的確に提供するという課題も認識されていなかった。
【００８２】
上記実施形態では、利用者が利用可能な定期預金を的確に抽出した上で、さらに、例えば、利用者の希望するリスク条件の定期預金に絞って表示したり、特典の内容ごとにまとめて定期預金を表示したり、金利の高い順に並べて表示したり、といった、表示態様を制御することができる。このような、表示態様の制御を加えることにより、利用者にとって、自身が利用できる定期預金の中から望む定期預金を見つけるのが、格段にやさしくなる。
【符号の説明】
【００８３】
１      定期預金抽出システム
２      検索条件設定部
３      検索部
４      出力部
５      定期預金抽出システム
６      利用者端末
【図１】
2015232744.tif 000007
【図２】
2015232744.tif 000008
【図３】
2015232744.tif 000009
【図４】
2015232744.tif 000010
【図５】
2015232744.tif 000011
【図６】
2015232744.tif 000012
【図７】
2015232744.tif 000013
【図８】
2015232744.tif 000014
【図９】
2015232744.tif 000015